【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
少なくとも前方から役物を視認可能な役物演出空間と、
前記役物演出空間内で自在に移動可能な飛行部材と、
前記役物演出空間において、前記飛行部材を移動させることが可能な演出部材移動手段と、
前記始動口への遊技球の入球に基づいて抽選を行う抽選手段、
前記変動情報記憶手段から読み出される変動パターンに基づき、前記演出画像表示装置に前記装飾図柄の変動表示を行い、前記抽選手段による抽選結果に応じた前記装飾図柄の停止表示を行う演出画像表示制御手段、
前記抽選手段による抽選に当選したことに応じ、前記特別入賞口の開閉動作を行い、遊技者に遊技価値を付与可能な大当たり遊技を実行する大当たり遊技実行手段、および
前記抽選手段による前記大当たり遊技の抽選とは別の抽選に当選したことに応じ、前記特別入賞口の開閉動作を行い、遊技者に遊技価値を付与可能な小当たり遊技を実行する小当たり遊技実行手段、
を少なくとも有する遊技制御手段と
を備え、
前記大当たり遊技実行手段は、
少なくとも、遊技球が十分に入賞可能な態様で前記特別入賞口の開閉動作を行う長当たり遊技を実行する長当たり遊技実行手段と、
遊技球が十分には入賞しにくい態様で前記特別入賞口の開閉動作を行う短当たり遊技を実行する短当たり遊技実行手段と
を有し、
前記遊技制御手段は、
前記大当たり遊技実行手段による前記大当たり遊技の実行を決定するための抽選に係る遊技状態として、相対的に高い当選確率で抽選を行う高確率抽選遊技状態と、相対的に低い当選確率で抽選を行う低確率抽選遊技状態に制御可能な遊技状態制御手段とを含み、
前記遊技状態制御手段によって、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御し、
前記短当たり遊技実行手段による前記短当たり遊技と前記小当たり遊技実行手段による前記小当たり遊技とを同様の態様で行うと共に、前記遊技状態が前記高確率抽選遊技状態であるか、あるいは、前記低確率抽選遊技状態であるかを遊技者に察知され難い察知難状態を導出可能に構成されており、
さらに、
前記察知難状態において前記高確率抽選遊技状態であることを推測させるための推測可能演出を実行するか否かを決定する推測可能演出決定手段と、
前記推測可能演出決定手段にて前記推測可能演出の実行が決定された場合、当該推測可能演出を実行可能な推測可能演出実行手段と、
所定条件の成立時、前記演出部材移動手段を介し前記遊技盤に沿って二次元的に前記飛行部材を遠隔コントロールすることで、前記推測可能演出の実行契機とする役物演出を実行する役物演出実行手段と
を有する
ことを特徴とする遊技機。
【請求項２】
前記役物演出実行手段は、前記推測可能演出決定手段による決定の結果を、役物演出によって告知する
請求項１に記載の遊技機。
【請求項３】
前記推測可能演出決定手段は、前記推測可能演出の実行を決定する場合、期待度が異なる複数の推測可能演出の中から実行対象の推測可能演出を選択決定する
請求項１または請求項２に記載の遊技機。
【手続補正２】
【補正対象書類名】明細書
【補正対象項目名】０００８
【補正方法】変更
【補正の内容】
【０００８】
本発明の遊技機は、遊技領域を有し、当該遊技領域に向けて遊技球が打ち込まれる遊技盤と、前記遊技領域に向けて遊技球を打ち込むための発射装置と、前記発射装置による遊技球の打ち込みを指示するための操作手段と、前記遊技領域に設けられ、遊技球が入球可能な始動口と、装飾図柄の変動表示を含む演出表示を行うための演出画像表示装置と、前記変動表示のパターンである複数の変動パターンを記憶する変動情報記憶手段と、前記遊技盤の遊技領域に設けられ、遊技球を受け入れ困難な閉状態と当該閉状態よりも遊技球を受け入れ容易な開状態とに変化可能な特別入賞口と、少なくとも前方から役物を視認可能な役物演出空間と、前記役物演出空間内で自在に移動可能な飛行部材と、前記役物演出空間において、前記飛行部材を移動させることが可能な演出部材移動手段と、前記始動口への遊技球の入球に基づいて抽選を行う抽選手段、前記変動情報記憶手段から読み出される変動パターンに基づき、前記演出画像表示装置に前記装飾図柄の変動表示を行い、前記抽選手段による抽選結果に応じた前記装飾図柄の停止表示を行う演出画像表示制御手段、前記抽選手段による抽選に当選したことに応じ、前記特別入賞口の開閉動作を行い、遊技者に遊技価値を付与可能な大当たり遊技を実行する大当たり遊技実行手段、および前記抽選手段による前記大当たり遊技の抽選とは別の抽選に当選したことに応じ、前記特別入賞口の開閉動作を行い、遊技者に遊技価値を付与可能な小当たり遊技を実行する小当たり遊技実行手段、を少なくとも有する遊技制御手段とを備え、前記大当たり遊技実行手段は、少なくとも、遊技球が十分に入賞可能な態様で前記特別入賞口の開閉動作を行う長当たり遊技を実行する長当たり遊技実行手段と、遊技球が十分には入賞しにくい態様で前記特別入賞口の開閉動作を行う短当たり遊技を実行する短当たり遊技実行手段とを有し、前記遊技制御手段は、前記大当たり遊技実行手段による前記大当たり遊技の実行を決定するための抽選に係る遊技状態として、相対的に高い当選確率で抽選を行う高確率抽選遊技状態と、相対的に低い当選確率で抽選を行う低確率抽選遊技状態に制御可能な遊技状態制御手段とを含み、前記遊技状態制御手段によって、前記短当たり遊技実行手段による前記短当たり遊技の終了後には前記短当たり遊技に当選する前の遊技状態にかかわらず前記高確率抽選遊技状態に制御し、前記小当たり遊技実行手段による前記小当たり遊技の終了後には前記小当たり遊技に当選する前の遊技状態に制御し、前記短当たり遊技実行手段による前記短当たり遊技と前記小当たり遊技実行手段による前記小当たり遊技とを同様の態様で行うと共に、前記遊技状態が前記高確率抽選遊技状態であるか、あるいは、前記低確率抽選遊技状態であるかを遊技者に察知され難い察知難状態を導出可能に構成されており、さらに、前記察知難状態において前記高確率抽選遊技状態であることを推測させるための推測可能演出を実行するか否かを決定する推測可能演出決定手段と、前記推測可能演出決定手段にて前記推測可能演出の実行が決定された場合、当該推測可能演出を実行可能な推測可能演出実行手段と、所定条件の成立時、前記演出部材移動手段を介し前記遊技盤に沿って二次元的に前記飛行部材を遠隔コントロールすることで、前記推測可能演出の実行契機とする役物演出を実行する役物演出実行手段とを有することを特徴とする。